(57)【要約】      （修正有）【課題】カレンダーに種々の催し事の予定日を表示するための多数のシールを備え、同シールにあらかじめ上記催し事を記入しておき、ついで上記シールをカレンダー上の該当日に貼付することにより、簡便にカレンダー上への予定日の表示作業を行えるようにしたシール付きカレンダーを提供する。【解決手段】カレンダー１において、あらかじめ誕生日や記念日などを含む催し事の各予定日の内容を記入しうる余白２ｂをもった多数の裏面粘着剤付きシール２が、取り付け可能に設けられる。シール２には、催し事の祝儀および不祝儀に応じて使い分けするための着色が施されるが、余白２ｂは無着色の白抜きに形成される。シール２の裏面に施される粘着剤は、シール２の突起部２ａをつまんで同シール２の剥離を容易に行える程度のものであり、これにより上記催し事の予定変更にも十分に対処することができる。【選択図】図１
0003130918.tif 000002
【実用新案登録請求の範囲】
【請求項１】
カレンダーと共に、あらかじめ定められた催し事の予定日の内容を記入しうる余白を有して上記カレダーに取り付け可能に構成された多数の裏面粘着剤付きシールを備え、同シールが上記カレンダーにおける日付を囲むべくリング状に形成されて、同シールの縁部に、同シールの上記カレンダーへの取り付けの際につまむための突起部が形成されていることを特徴とする、シール付きカレンダー。
【請求項２】
上記シールが、上記催し事の種類に応じて使い分けるために色別に設けられていることを特徴とする、請求項１に記載のシール付きカンレンダー。
【請求項３】
上記シールが、上記余白を無着色の白抜きに形成されていることを特徴とする、請求項２に記載のシール付きカンレンダー。
【考案の詳細な説明】
【技術分野】
【０００１】
本考案は、カレンダーに関し、特に誕生日や旅行の出発日などの催し事の予定日を確認するためのシールを備えるようにしたカレンダーに関する。
【背景技術】
【０００２】
従来、カレンダーにおいて、種々の催し事の予定日を視認できるように、日付の下方に上記催し事を記入するための余白を備えたものが用いられている。
しかしながら、上記催し事を記入するめにカレンダーをめくって、該当日を探し記入する操作は著しく面倒なものであり、十分に催し事を記入しきれないという不具合がある。
また、カレンダーにシールを貼付して分別ゴミ収集の予定日の目印をつけるようにしたものも提案されているが、各種の予定日について明確に記載するためには利用が困難である。
【特許文献１】特開２００５−１５３４８２号公報
【考案の開示】
【考案が解決しようとする課題】
【０００３】
本考案は、カレンダーに種々の催し事の予定日を表示するための多数のシールを備えるようにして、同シールにあらかじめ上記催し事を記入しておき、ついで上記シールをカレンダー上の該当日に貼付することにより、簡便にカレンダー上への予定日の表示作業を行えるようにしたシール付きカレンダーを提供することを課題とする。
【課題を解決するための手段】
【０００４】
前述の課題を解決するため、本考案のシール付きカレンダーは、あらかじめ定められた催し事の予定日の内容を記入しうる余白を有して上記カレダーに取り付け可能に構成された多数の裏面粘着剤付きシールを備え、同シールが上記カレンダーにおける日付を囲むべくリング状に形成されて、同シールの縁部に、同シールの上記カレンダーへの取り付けの際につまむための突起部が形成されていることを特徴としている。
【０００５】
また、本考案のシール付きカレンダーは、上記シールが、上記催し事の種類に応じて使い分けるために色別に設けられていることを特徴としている。
【０００６】
さらに、本考案のシール付きカレンダーは、上記シールが、上記余白を無着色の白抜きに形成されていることを特徴としている。
【考案の効果】
【０００７】
上述の本考案のシール付きカレンダーでは、種々の催し事の予定日を記入しうる余白をもった多数の裏面粘着剤付きシールが、リング状に形成されて日付を囲むように構成されているので、あらかじめ上記多数のシールの余白にそれぞれ所要の催し事を記入してから、同催し事の日付の順に揃えておき、ついでリング状の各シールをカレンダー上の該当する予定日を取り囲むように同シールの裏面に塗布された粘着剤を利用して簡便に付着させることができる。
【０００８】
その際、上記シールにはカレンダー上への取り付けの際につまむための突起部が形成されているので、同シールのカレンダー上における位置決めが容易となり、同シールのカレンダー上への取り付け作業が一層簡便に行われるようになる。
【０００９】
また、上記シールが、上記催し事の種類に応じて使い分けるために、例えば祝儀と不祝儀とでピンク色と青色のごとく、色別に設けられることにより、同シールの視認が容易となって、その利便性が一層高められるようになる。
【００１０】
さらに、上記の色別に設けられたシールにおける上記余白が、無着色の白抜きに形成されていると、同余白への上記催し事の記入が明確に行われるようになる利点が得られる。
【実施例】
【００１１】
図１は本考案の一実施例としてのシール付きカレンダーの要部を示す正面図、図２は上記カレンダーに取り付け可能のシールの一例を拡大して示す斜視図である。
【００１２】
本実施例のシール付きカレンダーは、図１に示すように、カレンダー１と、同カレンダー１の日付の部分を取り囲めるようにリング状に形成された多数のシール２とを備えたものであり、同シール２の裏面には、図２に示すごとく粘着剤３の層が付設されている。
【００１３】
そしてシール２の縁部には、同シール２のカレンダー１への取り付けの際につまむための突起部２ａが形成されているが、同突起部２ａの裏面には粘着剤は付設されていない。
【００１４】
また、シール２には、催し事の祝儀および不祝儀に応じて使い分けするための着色が施されていて、祝儀用には例えばピンク色が施され、不祝儀用には例えば青色が施されるが、上記催し事の各予定日の内容を上記シール２に記入するための余白２ｂは、無着色の白抜きに形成されている。
【００１５】
なお、粘着剤３は、シール２をカレンダー１上に粘着させて、同シール２の脱落を十分に阻止しうるものであるが、突起部２ａをつまんで剥がす操作を行えば容易にシール２をカレンダー１から剥離させうるものであり、催し事の予定日の変更に際しては、シール２の張り直しを簡便に行うことができる。
【００１６】
上述の本実施例のシール付きカレンダーでは、種々の催し事の予定日を記入しうる余白２ｂをもった多数の裏面粘着剤３付きシール２が、リング状に形成されて日付を囲むように構成されているので、予め多数のシール２の余白２ｂにそれぞれ所要の催し事を記入してから、同催し事の日付の順に揃えておき、ついでリング状の各シール２をカレンダー１上の該当する予定日を取り囲むように同シール２の裏面に塗布された粘着剤３を利用して簡便に付着させることができる。
【００１７】
その際、シール２にはカレンダー１上への取り付けの際につまむための突起部２ａが形成されているので、同シール２のカレンダー１上における位置決めが容易となり、同シール２のカレンダー１上への取り付け作業が一層簡便に行われるようになる。
【００１８】
また、シール２が、上記催し事の種類に応じて使い分けるために、祝儀と不祝儀とでピンク色と青色のごとく色別に設けられることにより、同シール２の視認が容易となって、その利便性が一層高められるようになる。
【００１９】
さらに、色別に設けられたシール２における余白２ｂが、無着色の白抜きに形成されているので、同余白２ｂへの上記催し事の記入が明確に行われるようになる利点が得られる。
【図面の簡単な説明】
【００２０】
【図１】本考案の一実施例としてのシール付きカレンダーの要部を示す正面図である。
【図２】上記カレンダーに取り付け可能のシールの一例を拡大して示す斜視図である。
【符号の説明】
【００２１】
１  カレンダー
２  シール
２ａ  突起部
２ｂ  余白
３  粘着剤
【図１】
0003130918.tif 000003
【図２】
0003130918.tif 000004